(57)【要約】【課題】期日の調査が便利で、名刺の携帯が便利で、且つクレジットカードを収容することも可能な名刺ケースの構造を提供する。【解決手段】第一ケース体１の底面には、万年暦表１１が印刷されている。互いに平行するスライド溝１２が二つ設けられ、スライド溝１２の間にはフレーム板１３が摺動可能に設けられている。第一ケース体１には収容空間が設けられ、カバー２は、第一ケース体１の上に設けられる。第一ケース体１とカバー２との間には第二ケース体３が設けられ、第二ケース体３には収容空間が設けられている。フレーム板１３は、縦方向板１４と、横方向板１５とから構成され、その中央に一つの窓区が形成される。各横方向板には各スライド溝１２に応じて翼部１６が凸設され、横方向板１５と翼部１６との間には溝１６１が形成されている。溝１６１によりフレーム板１３はスライド溝１２で摺動自在になる。【選択図】図１
0003118709.tif 000002
【実用新案登録請求の範囲】
【請求項１】
第一ケース体と、カバーとを備える名刺ケースの構造であって、
前記第一ケース体の底面には、一つの万年暦表が印刷され、且つ互いに平行なスライド溝が二つ設けられ、前記二つのスライド溝の間にはフレーム板が摺動可能に設けられ、且つ前記第一ケース体には収容空間が設けられ、
前記カバーは、第一ケース体の上に設けられ、
前記第一ケース体とカバーとの間には第二ケース体が設けられ、前記第二ケース体には収容空間が設けられていることを特徴とする名刺ケースの構造。
【請求項２】
前記フレーム板は、二つの縦方向板と、二つの横方向板とから構成され、中央に一つの窓区が形成され、前記各横方向板には前記各スライド溝に応じて翼部が凸設され、前記横方向板と翼部との間には溝が形成され、前記溝により前記フレーム板はスライド溝で摺動自在になり、前記横方向板の溝から遠ざかった他面には、フレーム板が移動しても万年暦表にある文字を磨耗しないための段差段が設けられていることを特徴とする請求項１に記載の名刺ケースの構造。
【請求項３】
前記第一ケース体と、カバーと、第二ケース体とを重ねたときに、それらの同一側面には、第一接合部と、第二接合部と、第三接合部とがそれぞれ設けられていることを特徴とする請求項１に記載の名刺ケースの構造。
【請求項４】
前記第一接合部と、第二接合部と、第三接合部とは、同一の軸線で離間に配置され、一つの固定素子で固定されることを特徴とする請求項３に記載の名刺ケースの構造。
【請求項５】
前記固定素子は一つのシャフトであることを特徴とする請求項４に記載の名刺ケースの構造。
【請求項６】
前記第一ケース体と第二ケース体との間の空間はデータファイルにすることが可能であり、且つ前記第二ケース体とカバーとの間の空間はデータファイルにすることが可能であることを特徴とする請求項１に記載の名刺ケースの構造。
【考案の詳細な説明】
【技術分野】
【０００１】
本考案は、名刺ケースの構造に関し、特に、期日の調査が便利になり、名刺の携帯が便利になり、且つクレジットカードを収容することも可能な名刺ケースの構造に関する。
【背景技術】
【０００２】
図４に示すように従来の名刺ケース７の構造は、名刺を嵌めるための名刺台座７１を含み、名刺台座７１の一側面には万年暦表７２が印刷されている。万年暦表７２の下には一つの溝７３が設けられ、これにより、摺動板７４の上下端に設けた係り板７４１が前記溝７３に係って摺動することにより期日を調査することが可能である。
【考案の開示】
【考案が解決しようとする課題】
【０００３】
しかしながら、上記のような構造によれば、使用者は期日を便利に調査することが可能であるが、名刺ケースを身の回りに携帯する営業マンにとっては、名刺台座７１の体積が大きすぎ、携帯が極めて不便である。営業マンは名刺ケースと共にカレンダーを携帯することが必要であり、そうしないと、お客様との期日の打ち合わせができなかった。
【０００４】
したがって本考案の主な目的は、期日の調査が便利で、名刺の携帯が便利で、且つクレジットカードを収容することも可能な名刺ケースの構造を提供することにある。
【課題を解決するための手段】
【０００５】
上述の目的を達成するために本考案の請求項に記載の名刺ケースの構造は、第一ケース体と、カバーとを含む名刺ケースの構造である。第一ケース体の底面には、一つの万年暦表が印刷されている。互いに平行するスライド溝が二つ設けられ、二つのスライド溝の間にはフレーム板が摺動可能に設けられている。第一ケース体には収容空間が設けられ、カバーは、第一ケース体の上に設けられる。第一ケース体とカバーとの間には第二ケース体が設けられ、第二ケース体には収容空間が設けられている。
【０００６】
本考案では、フレーム板は、二つの縦方向板と、二つの横方向板とから構成され、その中央に一つの窓区が形成される。各横方向板には各スライド溝に応じて翼部が凸設され、横方向板と翼部との間には溝が形成されている。溝によりフレーム板はスライド溝で摺動自在になる。横方向板の溝から遠ざかった他面には、フレーム板が移動しても万年暦表にある文字を磨耗しないための段差段が設けられている。
【０００７】
本考案の名刺ケースの構造によれば、期日の調査が便利になり、名刺の携帯が便利になり、且つクレジットカードを収容することも可能となる。
【考案を実施するための最良の形態】
【０００８】
以下、本考案の実施例を図面に基づいて説明する。
図１から図３に示すように本考案の実施例による名刺ケースの構造は、第一ケース体１と、カバー２と、第二ケース体３とを含む。
第一ケース体１の底面には、一つの万年暦表１１が印刷され、且つ互いに平行するスライド溝１２が二つ設けられている。二つのスライド溝１２の間にはフレーム板１３が摺動可能に設けられている。フレーム板１３は、二つの縦方向板１４と、二つの横方向板１５とから構成される。中央に一つの窓区１９が形成され、各横方向板１５には各スライド溝１２に応じて翼部１６が凸設されている。横方向板１５と翼部１６との間には溝１６１が形成され、溝１６１によりフレーム板１３はスライド溝１２で摺動自在である。横方向板１５の溝１６１から遠ざかった他面には、フレーム板１３が移動しても万年暦表にある文字を磨耗しないための段差段１３１が設けられている。窓区１９により期日を読取ることが可能で、且つ前記第一ケース体１には収容空間１７が設けられている。
【０００９】
カバー２は、第一ケース体１の上に設けられる。
そして、第一ケース体１とカバー２との間には第二ケース体３が設けられ、第二ケース体３には収容空間３１が設けられている。
第一ケース体１と、カバー２と、第二ケース体３とを重ねたときに、同一側面には、第一接合部１８と、第二接合部２１と、第三接合部３２とがそれぞれ設けられている。第一接合部１８と、第二接合部２１と、第三接合部３２とは、同一の軸線で離間に配置されて、一つの固定素子４で固定され、本実施例では、固定素子４は一つのシャフトである。
【００１０】
上記のような構造によれば、名刺とクレジットカードとを同時に収容可能で、且つ何時でも何処でも期日を調べることが可能である。携帯が便利になり、且つ一つのもので多種の用途を有する。
【００１１】
図３に示すように本考案の第２実施例では、第１実施例の構造と同様であるが、その異なる点は、第一ケース体５１と第二ケース体５２との間の空間はデータファイル５４にすることが可能で、且つ第二ケース体５２とカバー５３との間の空間はデータファイル５４にすることが可能である。使用する際には、カバー５３または第二ケース体５２を開けると、扇形状のデータファイル５４が形成され、名刺とクレジットカードとの分類は容易になる。
【００１２】
このように、本考案の特定の例を参照して説明したが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１３】
【図１】本考案の第１実施例による名刺ケースの構造を示す分解斜視図である。
【図２】本考案の第１実施例による名刺ケースの構造の組合状態を示す断面図である。
【図３】本考案の第２実施例による名刺ケースの構造を示す分解斜視図である。
【図４】従来の名刺ケースを示す斜視図である。
【符号の説明】
【００１４】
１  第一ケース体、２  カバー、３  第二ケース体、４  固定素子、１１  万年暦表、１２  スライド溝、１３  フレーム板、１４  縦方向板、１５  横方向板、１６  翼部、１７  収容空間、１８  第一接合部、１９  窓区、２１  第二接合部、３１  収容空間、３２  第三接合部、５１  第一ケース体、５２  第二ケース体、５３  第二ケース体、５４  データファイル、１３１  段差段、１６１  溝
【図１】
0003118709.tif 000003
【図２】
0003118709.tif 000004
【図３】
0003118709.tif 000005
【図４】
0003118709.tif 000006